(57)【要約】【課題】補正分解能を高めて走査線の湾曲を高精度に補正することができる光走査装置を提供すること。【解決手段】筐体内にレンズやミラー等の光学部品を収容して成る光走査装置において、前記光学部品を保持する板金ステイ３６に複数の接着部３６ａを形成し、該接着部３６ａを選択して該接着部３６ａに反射ミラー（光学部品）３５を接着剤３８にて接着する。そして、前記接着剤３８として硬化後に体積が変化する紫外線硬化樹脂又は熱硬化性樹脂を使用する。ここで、前記各接着部３６ａと反射ミラー３５とのクリアランスが接着箇所毎に異なり、或いは前記各接着部３６ａの面積と各接着部へ３６ａの前記接着剤３８の塗布量が異なるようにしても良い。【選択図】図８
2011095460.tif 000002
【特許請求の範囲】
【請求項１】
筐体内にレンズやミラー等の光学部品を収容して成る光走査装置において、
前記光学部品を保持する板金ステイ又は筐体に複数の接着部を形成し、該接着部を選択して該接着部に前記光学部品を接着剤にて接着したことを特徴とする光走査装置。
【請求項２】
前記接着剤として硬化後に体積が変化する紫外線硬化樹脂又は熱硬化性樹脂を使用することを特徴とする請求項１記載の光走査装置。
【請求項３】
前記各接着部と光学部品とのクリアランスが接着箇所毎に異なることを特徴とする請求項１又は２記載の光走査装置。
【請求項４】
前記各接着部の面積と各接着部への前記接着剤の塗布量が異なることを特徴とする請求項１〜３の何れかに記載の光走査装置。
【請求項５】
請求項１〜４の何れかに記載の光走査装置を備えることを特徴とする画像形成装置。
【発明の詳細な説明】
【技術分野】
【０００１】
本発明は、複写機やプリンタ等の画像形成装置に用いられる光走査装置とこれを備えた画像形成装置に関するものである。
【背景技術】
【０００２】
複写機やプリンタ等の画像形成装置においては、帯電器によって表面が一様に帯電された像担持体が光走査装置によって露光走査され、その表面に画像情報に応じた静電潜像が形成され、該静電潜像が現像装置によってトナーを用いて現像されてトナー像として顕像化される。尚、像担持体上のトナー像は、転写装置によって用紙上に転写された後、定着装置によって加熱及び加圧されて用紙上に定着され、トナー像が定着された用紙が装置外へ排出されることによって一連の画像形成動作が終了する。
【０００３】
ところで、光走査装置は、ハウジング内にコリメータレンズ、シリンドリカルレンズ、走査レンズ、反射ミラー等の各種光学部品の他、偏向手段であるポリゴンミラーとこれを回転駆動するポリゴンモータ等を収容して構成されているが、レンズや反射ミラー等の光学部品の製造誤差や組付誤差等のために像担持体上の走査線が湾曲して画質の低下を招くという問題がある。
【０００４】
そこで、例えば特許文献１には、光学部品の１つである反射ミラーを保持部材によって保持し、反射ミラーの長手方向中央に走査線湾曲補正手段を設け、反射ミラーに入射する光ビームの撓み量を調整する提案がなされている。ここで、走査線湾曲補正手段は、調整ネジをドライバ等の工具を用いて回して加圧調整用の板バネを撓み変形させ、該板バネの反射ミラーへの押圧力を調整することによって像担持体上の走査線の湾曲を補正するものである。
【０００５】
ところが、上記のような走査線湾曲補正手段を備えた光走査装置においては、カバーを筐体に取り付ける前に走査線湾曲補正手段によって走査線の湾曲（ボウ）を補正する方式が採用されていたため、補正後にカバーを筐体に取り付けると筐体が変形し、走査線の湾曲が再び発生してしまうという問題がある。このため、走査線の湾曲の補正はカバーを筐体に取り付けた後に行うことが望ましい。
【０００６】
しかしながら、従来の光走査装置においては、カバーを筐体に取り付けた後では調整用工具を筐体内部の走査線湾曲補正手段にアクセスすることができず、走査線湾曲補正手段によって走査線の湾曲を補正することができないという問題があった。特に、カラー画像形成装置における実使用時の走査線の湾曲が大きい場合には、色合わせが不可能である。
【０００７】
そこで、本出願人は、図９及び図１０に示すような走査線湾曲補正手段を先に提案した。
【０００８】
即ち、図９は走査線湾曲補正手段が設けられた反射ミラーの斜視図、図１０は図９のＢ部拡大断面図であり、図示の反射ミラー１３５は、上面が開口するチャンネル状のフレーム１３６によって長手方向両端が板金製のバネ部材１３７を介して支持されており、その長手方向中央には走査線湾曲補正手段が配設されている。
【０００９】
走査線湾曲補正手段は、反射ミラー１３５の幅方向中央部に係合する保持ブラケット１３８と、該保持ブラケット１３８と前記フレーム１３６の間に縮装されて保持ブラケット１３８を介して反射ミラー１３５の長手方向中央を図１０の下方に引き付ける２つの圧縮バネ１３９と、前記フレーム１３６の底面の長手方向中央に進退可能（上下動可能）に螺合して反射ミラー１３５の長手方向中央を前記圧縮バネ１３９による引き付け方向とは逆方向（図１０の上方）に押圧する調整ネジ１４０とで構成されている。
【００１０】
又、保持ブラケット１３８は、フレーム１３６とこれに保持された反射ミラー１３５の長手方向中央部を下方から覆うように開口部を上にして嵌め込まれ、その係合爪１３８ａが反射ミラー１３５の上面に係合することによって該反射ミラー１３５に保持される。そして、保持ブラケット１３８とフレーム１３６との間に縮装された２つの前記圧縮バネ１３９によって保持ブラケット１３８が下方に付勢されることによって、該保持ブラケット１３８の係合爪１３８ａが反射ミラー１３５に係合して該反射ミラー１３５の長手方向中央を下方へ引き付ける。これによって反射ミラー１３５は長手方向中央が下に凸となるように撓み変形する。
【００１１】
更に、図１０に示すように、前記調整ネジ１４０のフレーム１３６内に臨む先端部は反射ミラー１３５の底面の長手方向中央に当接しており、保持ブラケット１３８の底面には円孔１３８ｂが形成され、同保持ブラケット１３８の側部には矩形の工具差込孔１３８ｃが形成されている。
【００１２】
而して、反射ミラー１３５は、その長手方向中央部が２つの圧縮バネ１３９によって下方に引き付けられて下に凸になるように撓み変形する反面、その下面に当接する調整ネジ１４０による上方への押し付けによって上に凸となるように撓み変形する。従って、走査線の湾曲補正（ボウ補正）に際しては、保持ブラケット１３８の側部に形成された工具差込孔１３８ｃから不図示の工具の先端を差し込み、工具によって調整ネジ１４０を回せば、該調整ネジ１４０の先端による反射ミラー１３５に対する上方への押圧力が調整されるため、像担持体上での走査線の湾曲を補正することができる。
【００１３】
前述の理由によって走査線の湾曲の補正はカバーを筐体に取り付けた後に行うことが望ましいが、上記構成ではカバーに工具挿入口が形成されているため、カバーを筐体に取り付けた後においても、工具挿入口から筐体内に挿入された工具の先端を前述のように保持ブラケット１３８の側部に形成された工具差込孔１３８ｃから差し込んで走査線の湾曲を補正することができる。
【先行技術文献】
【特許文献】
【００１４】
【特許文献１】特開２００６−０１７８８１号公報
【発明の概要】
【発明が解決しようとする課題】
【００１５】
ところで、図９及び図１０に示した走査線の湾曲補正においては、反射ミラー１３５を変形させる力の入力箇所は反射ミラー１３５の長手方向中央の１箇所であるため、変形後の反射ミラー１３５の形状は弓形のみである。
【００１６】
しかしながら、実際の走査線の湾曲は山と谷を複数含むＭ字形やＮ字形等の複雑な形状を示すため、図９及び図１０に示した走査線湾曲補正手段では走査線の湾曲を完全に補正することは不可能である。
【００１７】
本発明は上記問題に鑑みてなされたもので、その目的とする処は、補正分解能を高めて走査線の湾曲を高精度に補正することができる光走査装置とこれを備えた画像形成装置を提供することにある。
【課題を解決するための手段】
【００１８】
上記目的を達成するため、請求項１記載の発明は、筐体内にレンズやミラー等の光学部品を収容して成る光走査装置において、前記光学部品を保持する板金ステイ又は筐体に複数の接着部を形成し、該接着部を選択して該接着部に前記光学部品を接着剤にて接着したことを特徴とする。
【００１９】
請求項２記載の発明は、請求項１記載の発明において、前記接着剤として硬化後に体積が変化する紫外線硬化樹脂又は熱硬化性樹脂を使用することを特徴とする。
【００２０】
請求項３記載の発明は、請求項１又は２記載の発明において、前記各接着部と光学部品とのクリアランスが接着箇所毎に異なることを特徴とする。
【００２１】
請求項４記載の発明は、請求項１〜３の何れかに記載の発明において、前記各接着部の面積と各接着部への前記接着剤の塗布量が異なることを特徴とする。
【００２２】
請求項５記載の画像形成装置は、請求項１〜４の何れかに記載の光走査装置を備えることを特徴とする。
【発明の効果】
【００２３】
請求項１及び２記載の発明によれば、板金ステイ又は筐体に形成された複数の接着部を走査線の湾曲の形状や程度に応じて選択し、その選択された接着部に光学部品を接着剤にて接着するようにしたため、光学部品の接着箇所が接着剤によって板金ステイ又は筐体側に引っ張られて光学部品の湾曲がその長手方向全域に亘って補正される。このため、補正分解能が高められて走査線の湾曲を高精度に補正することができる。
【００２４】
請求項３記載の発明によれば、各接着部と光学部品とのクリアランスを接着箇所毎に変え、請求項４記載の発明によれば、各接着部の面積と各接着部への接着剤の塗布量を変えたため、補正分解能が更に高められて走査線の湾曲が一層高精度に補正される。
【００２５】
請求項５記載の発明によれば、請求項１〜４記載の発明によって像担持体上での走査線の湾曲が高精度に補正されるため、高質画像を安定的に得ることができる。
【図面の簡単な説明】
【００２６】
【図１】本発明に係る画像形成装置（カラーレーザープリンタ）の側断面図である。
【図２】本発明に係る光走査装置の斜視図である。
【図３】本発明に係る光走査装置の斜視図である。
【図４】本発明に係る光走査装置の内部構造を示す斜視図である。
【図５】図４のＡ−Ａ線断面図である。
【図６】走査線湾曲補正手段が設けられた反射ミラーの斜視図である。
【図７】走査線湾曲補正手段が設けられた反射ミラーの斜視図である。
【図８】走査線湾曲補正手段が設けられた反射ミラーの平断面図である。
【図９】従来の走査線湾曲補正手段が設けられた反射ミラーの斜視図である。
【図１０】図のＢ部拡大断面図である。
【発明を実施するための形態】
【００２７】
以下に本発明の実施の形態を添付図面に基づいて説明する。
【００２８】
［画像形成装置］
図１は本発明に係る画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２９】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００３０】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００３１】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００３２】
又、前記転写ローラ５ａ〜５ｄは、各一次転写部にて中間転写ベルト７を介して各感光ドラム２ａ〜２ｄに当接可能に配置されている。ここで、中間転写ベルト７は、駆動ローラ８とテンションローラ９との間に張設されて各感光ドラム２ａ〜２ｄの上面側に走行可能に配置されており、前記駆動ローラ８は、二次転写部において中間転写ベルト７を介して二次転写ローラ１０に当接可能に配置されている。又、テンションローラ９の近傍にはベルトクリーニング装置１１が設けられている。
【００３３】
ところで、プリンタ本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００３４】
又、プリンタ本体１００内の各画像形成ユニット１Ｍ，１Ｃ，１Ｙ，１Ｋの下方には本発明に係る光走査装置１３が配置され、その下方のプリンタ本体１００の底部には給紙カセット１４が着脱可能に設置されている。そして、給紙カセット１４には複数枚の不図示の用紙が積層収容されており、この給紙カセット１４の近傍には、該給紙カセット１４から用紙を取り出すピックアップローラ１５と、取り出された用紙を分離して搬送パスＬへと１枚ずつ送り出すフィードローラ１６とリタードローラ１７が設けられている。
【００３５】
又、プリンタ本体１００の側部を上下方向に延びる前記搬送パスＬには、用紙を搬送する搬送ローラ対１８と、用紙を一時待機させた後に所定のタイミングで前記駆動ローラ８と二次転写ローラ１０との当接部である二次転写部へと供給するレジストローラ対１９が設けられている。尚、搬送パスＬの横には、用紙の両面に画像を形成する場合に使用される別の搬送パスＬ’が形成されており、この搬送パスＬ’には複数の反転ローラ対２０が適当な間隔で設けられている。
【００３６】
ところで、プリンタ本体１００内の一側部に縦方向に配置された前記搬送パスＬは、プリンタ本体１００の上面に設けられた排紙トレイ２１まで延びており、その途中には定着装置２２と排紙ローラ対２３，２４が設けられている。
【００３７】
次に、以上の構成を有するカラーレーザープリンタによる画像形成動作について説明する。
【００３８】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、光走査装置１３は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３９】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００４０】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００４１】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００４２】
そして、中間転写ベルト７上のフルカラートナー像の先端が駆動ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＬへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００４３】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００４４】
［光走査装置］
次に、本発明に係る前記光走査装置１３を図２〜図５に基づいて説明する。
【００４５】
図２及び図３は本発明に係る光走査装置の斜視図、図４は同光走査装置の内部構造を示す斜視図、図５は図４のＡ−Ａ線断面図である。
【００４６】
本実施の形態に係る光走査装置１３は２基設けられ、各光走査装置１３は各２つの感光ドラム２ａ，２ｂと２ｃ，２ｄ上をそれぞれ走査するが、両光走査装置１３の構成と作用は同じであるため、以下、感光ドラム２ａ，２ｂを露光走査する側の光走査装置１３についてのみ説明する。
【００４７】
光走査装置１３は、樹脂にて矩形ボックス状に成形された筐体２５内の中心部に偏向手段であるポリゴンミラー２６とこれを回転駆動するポリゴンモータ２７（図５参照）を配置し、これらの両側に２つの走査光学系３０，４０を対称に配置して構成されている（図５参照）。尚、図２、図３及び図５に示すように、筐体２５の上部にはカバー２８が被着され、筐体２５の上面開口部がカバー２８によって覆われるが、図４では筐体２５の内部構造を示すためにカバー２８を取り外した状態を図示している。
【００４８】
上記各走査光学系３０，４０は、光源であるレーザーダイオード２９（図４参照）、不図示のコリメータレンズとシリンドリカルレンズ、走査レンズであるｆθレンズ３１，３２（図４参照）及び３つの反射ミラー３３，３４，３５（図５参照）をそれぞれ備えており、各走査光系３０，４０のレーザーダイオード２９から出射されたレーザー光は、コリメータレンズとシリンドリカルレンズによって線状の光束に集光された後、ポリゴンモータ２７によって回転駆動されているポリゴンミラー２６に対して対称な２方向から入射する。
【００４９】
上述のようにポリゴンミラー２６に入射したレーザー光は、該ポリゴンミラー２６によって偏向走査され、その反射光は２つのｆθレンズ３１，３２と３つの反射ミラー３３〜３５を経て図５に示す感光ドラム２ａ，２ｂ上に結像され、結像された光束は、ポリゴンミラー２６の回転によって感光ドラム２ａ，２ｂ上を主走査方向に走査し、感光ドラム２ａ，２ｂの回転によって副走査方向に走査して感光ドラム２ａ，２ｂ上に画像情報に応じた静電潜像を形成する。尚、他の感光ドラム２ｃ，２ｄはもう一方の光走査装置１３によって露光走査され、これらの上にも画像情報に応じた静電潜像が形成される。
【００５０】
ところで、本実施の形態においては、感光ドラム２ａ，２ｂ（２ｃ，２ｄ）上の各走査線の湾曲は反射ミラー３５に設けられた走査線湾曲補正手段によって補正される。以下、走査線湾曲補正手段による走査線の湾曲補正について図６〜図８を参照しながら説明する。
【００５１】
図６及び図７は走査線湾曲補正手段が設けられた反射ミラーの斜視図、図８は同反射ミラーの平断面図である。
【００５２】
前記反射ミラー３５は、側方が開口するチャンネル状の板金ステイ３６によって保持され、該板金ステイ３６の長手方向両端はバネ部材３７によって支持されている。そして、板金ステイ３６の背面には、反射ミラー３５側に突出する複数の接着部３６ａが切り起こしによって所定のピッチで長手方向に形成されており、これらの接着部３６ａ及びこれに選択的に接着される後述の接着剤３８によって走査線湾曲補正手段が構成されている。
【００５３】
而して、走査線の湾曲補正は次のようになされる。即ち、図８に示すように、板金ステイ３６に形成された複数の接着部３６ａから走査線の湾曲の形状や程度に応じて適当なものを選択し、その選択された接着部３６ａに接着剤３８によって反射ミラー３５を部分的に接着する。ここで、接着剤３８には硬化後に体積が収縮する紫外線硬化樹脂又は熱硬化性樹脂が使用される。
【００５４】
上述のように、選択された接着部３８に反射ミラー３５を接着剤３８で接着することによって、反射ミラー３５の接着箇所が接着剤３８によって板金ステイ３６側に引っ張られるため、該反射ミラー３５の湾曲がその長手方向全域に亘って補正される。このため、補正分解能が高められて走査線の湾曲を高精度に補正することができ、図１に示すレーザープリンタにおいて高質画像を安定的に得ることができる。ここで、接着剤３８として例えば紫外線硬化樹脂を使用した場合、該紫外線硬化樹脂の硬化収縮率は２〜６％であるため、この紫外線硬化樹脂による反射ミラー３５の変形量は微小であり、従来よりも精細な補正が可能となる。
【００５５】
ところで、走査線の湾曲の形状や程度に応じて、板金ステイ３６に形成された複数の接着部３６ａと反射ミラー３５とのクリアランスを接着箇所毎に変えたり、各接着部３６ａの面積と各接着部３６ａへの接着剤３８の塗布量を変えれば、反射ミラー３５の補正分解能が更に高められて走査線の湾曲が一層高精度に補正される。
【００５６】
尚、以上の実施の形態では、反射ミラー３５を保持する板金ステイ３６に複数の接着部３６ａを形成したが、筐体２５に複数の接着部を直接形成しても良い。又、反射ミラー以外のレンズ等の他の光学部品に対しても同様の走査線湾曲補正手段によってその湾曲を補正することができる。更に、以上は本発明をレーザープリンタとこれに備えられた光走査装置に対して適用した形態について説明したが、本発明は、他の形式のプリンタや複写機等を含む他の任意の画像形成装置及びこれに備えられた光走査装置に対しても同様に適用可能であることは勿論である。
【符号の説明】
【００５７】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（像担持体）
３ａ〜３ｄ      帯電器
４ａ〜４ｄ      現像装置
５ａ〜５ｄ      転写ローラ
６ａ〜６ｄ      ドラムクリーニング装置
７              中間転写ベルト
８              駆動ローラ
９              テンションローラ
１０            二次転写ローラ
１１            ベルトクリーニング装置
１２ａ〜１２ｄ  トナーコンテナ
１３            光走査装置
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置
２３，２４      排紙ローラ対
２５            光走査装置の筐体
２６            ポリゴンミラー
２７            ポリゴンモータ
２８            カバー
２９            レーザーダイオード（光源）
３０            走査光学系
３１，３２      ｆθレンズ（光学部品）
３３〜３５      反射ミラー（光学部品）
３６            板金ステイ
３６ａ          板金ステイの接着部
３７            バネ部材
３８            接着剤
４０            走査光学系
Ｌ，Ｌ’        搬送パス
【図１】
2011095460.tif 000003
【図２】
2011095460.tif 000004
【図３】
2011095460.tif 000005
【図４】
2011095460.tif 000006
【図５】
2011095460.tif 000007
【図６】
2011095460.tif 000008
【図７】
2011095460.tif 000009
【図８】
2011095460.tif 000010
【図９】
2011095460.tif 000011
【図１０】
2011095460.tif 000012